(57)【要約】【課題】古来の衣装形態を保持しながら、脱着が容易な祭典用股引を得る。【解決手段】左脚通し部（１２）の上部に、上方に向かって拡開する漏斗状の左腰覆い部（１３）を連結してなる左部股引体（１１）と、右脚通し部（１６）の上部に、上方に向かって拡開する漏斗状の右腰覆い部（１７）を連結してなる右部股引体（１５）とを左右に配置するとともに、前記左腰覆い部（１３）及び右腰覆い部（１７）の後部辺（１３ｂ，１７ｂ）の内端部同士を互いに重ね合わせてその上部を連結し、前記左腰覆い部（１３）の後部辺（１３ｂ）上部の外端から左腰紐（１９）を延出させ、前記右腰覆い部（１７）の後部辺（１７ｂ）上部の中途外面から右腰紐（２０）を延出させ、前記左腰覆い部（１３）の後部辺（１３ｂ）外端部と前記右腰覆い部（１７）の後部辺（１７ｂ）外端部とを互いに重ね合わせて係脱可能に係止する係止具（２１，２２）を設ける。【選択図】        図１
0003143423.tif 000002
【実用新案登録請求の範囲】
【請求項１】
左脚通し部（１２）の上部に、上方に向かって拡開する漏斗状の左腰覆い部（１３）を連結してなる左部股引体（１１）と、右脚通し部（１６）の上部に、上方に向かって拡開する漏斗状の右腰覆い部（１７）を連結してなる右部股引体（１５）とを左右に配置するとともに、前記左腰覆い部（１３）及び右腰覆い部（１７）の後部辺（１３ｂ，１７ｂ）の内端部同士を互いに重ね合わせてその上部を連結し、前記左腰覆い部（１３）の後部辺（１３ｂ）上部の外端から左腰紐（１９）を延出させ、前記右腰覆い部（１７）の後部辺（１７ｂ）上部の中途外面から右腰紐（２０）を延出させ、前記左腰覆い部（１３）の後部辺（１３ｂ）外端部と前記右腰覆い部（１７）の後部辺（１７ｂ）外端部とを互いに重ね合わせて係脱可能に係止する係止具（２１，２２）を設けたことを特徴とする祭典用股引。
【請求項２】
係止具（２１，２２）は、互いに係脱可能な雄・雌の面ファスナーにするとともに、左腰覆い部（１３）の後部辺（１３ｂ）上部の内面に一方の面ファスナー（２１）を設け、右腰覆い部（１７）の後部辺（１７ｂ）上部の外面に他方の面ファスナー（２２）を設けてなることを特徴とする請求項１記載の祭典用股引。
【考案の詳細な説明】
【技術分野】
【０００１】
本考案は、神輿、屋台等を引き回す際に着用する祭典用股引に関するものである。
【背景技術】
【０００２】
従来の技術として、図３、図４に示すものがあった。図３、図４において、１は祭典用股引であり、下部に左脚通し部４を有する漏斗状の左腰覆い部２と、下部に右脚通し部５を有する漏斗状の右腰覆い部３とを左右に配置し、左腰覆い部２の前部辺２ａ及び右腰覆い部３の前部辺３ａの内端側を重ね合わせ、この状態で左右の前部辺２ａ，３ａの上縁部全域を腰紐６に逢着する。
【０００３】
前記腰紐６は、その左右辺６ａ，６ｂを後部辺２ｂ，３ｂの上縁部外端から外側方に露出させる。即ち、腰紐６の左辺６ａの露出長さは約３０ｃｍ、右辺６ｂの露出長さは着用者の胴部を半周以上巻回できる約７０ｃｍとする。そして、前記祭典用股引１を着用する際には、腰紐６の左辺６ａ及び右辺６ｂを後ろ側にし、左脚通し部４及び右脚通し部５に着用者の左脚部及び右脚部を通す。次いで、左右の腰覆い部２，３の後部辺２ｂ，３ｂを着用者の背中側で互いに重ね合わせるとともに、腰紐６の右辺６ｂを腰部の左側を経て右側に巻き、該右側で腰紐６の左辺６ａに結ぶ。
【０００４】
前記従来のものは、用便時等において腰紐６を解くと、該腰紐６の左右片６ａ，６ｂが後部側で垂れ下がり、特に右辺６ｂが大きく垂れ下がることになる。このため、右辺６ｂの下端部が便器内に入いり、不衛生になることがあった。また、左右の腰覆い部２，３の後部辺２ｂ，３ｂを着用者の背中側で重ね合わせるため、着脱作業が煩雑になるとともに、重ね合わせの順序が逆になったりすることがあった。
【０００５】
他の従来技術として、筒状の下腹覆い部の下部に左右一対の足挿入部を設け、該下腹覆い部の前部に重ね合わせ用の切れ目を形成し、前記下腹覆い部の上部に帯状の腹当て部を接続し、該腹当て部を前部側で重ね合わせて面ファスナーにより係脱可能に係止し、腹当て部の外周に腰紐を取付けるようにしたものがあった。
【０００６】
このものは、筒状の下腹覆い部を前部側で開閉するようにしているため、着脱作業の煩雑さは解消できる。しかしながら、下腹覆い部が筒状となっているため、古来の衣装とは形態が異なるものであった。
【特許文献１】特開２００３−２７８０１０号公報
【考案の開示】
【考案が解決しようとする課題】
【０００７】
本考案は、古来の衣装形態を保持しながら、脱着が容易な祭典用股引を得ることを目的とする。
【課題を解決するための手段】
【０００８】
本考案は、前記目的を達成するために以下の如く構成したものである。即ち、請求項１に係る考案は、左脚通し部の上部に、上方に向かって拡開する漏斗状の左腰覆い部を連結してなる左部股引き体と、右脚通し部の上部に、上方に向かって拡開する漏斗状の右腰覆い部を連結してなる右部股引き体とを左右に配置するとともに、前記左腰覆い部及び右腰覆い部の後部辺の内端部同士を互いに重ね合わせてその上部を連結し、前記左腰覆い部の後部辺上部の外端から左腰紐を延出させ、前記右腰覆い部の後部辺上部の中途外面から右腰紐を延出させ、前記左腰覆い部の後部辺外端部と前記右腰覆い部の後部辺外端部とを互いに重ね合わせて係脱可能に係止する係止具を設ける構成にしたものである。
請求項２に係る考案は、係止具を、互いに係脱可能な雄・雌の面ファスナーにするとともに、左腰覆い部の後部辺上部の内面に一方の面ファスナーを設け、右腰覆い部の後部辺上部の外面に他方の面ファスナーを設けるようにしたものである。
【考案の効果】
【０００９】
請求項１に係る考案は、左右の腰紐を前側にして左脚通し部及び右脚通し部に着用者の左右の脚部を通し、左右の腰覆い部の後部辺を着用者の胴部の左右に沿って前部側に回すとともに、その外端部同士を前部側で互いに重ね合わせ、該外端部同士を係止具により連結する。次いで、左右の腰紐を着用者の胴部の左右に沿って前部側に回し、その先端部同士を結んで連結する。
さすれば、左右の腰覆い部の前部辺が着用者の股下を迂回するとともに、その開口縁部が互いに重なった状態で下腹部を包囲することになる。
このため、古来の祭典用股引の形態を保持しながら、該祭典用股引の脱着が容易にかつ誤操作なく行なえることになる。
【考案を実施するための最良の形態】
【００１０】
以下本考案の実施例を図面に基いて説明する。図面において、図１は本考案の実施例による股引の開いた状態を示す正面斜視図、図２は本考案の実施例による股引の閉じた状態を示す正面斜視図である。
【００１１】
図１、図２において、１０は祭典用股引であり、左部股引体１１と右股引体１５とを有する。左部股引体１１は、細長い筒状の左脚通し部１２の上部に、上方に向かって拡開する漏斗状の左腰覆い部１３を連結してなり、また、右股引体１５は、細長い筒状の右脚通し部１６の上部に、上方に向かって拡開する漏斗状の右腰覆い部１７を連結してなる。
【００１２】
前記左部股引体１１と右股引体１５とを左右に配置（図１において右左）し、左右の腰覆い部１３，１７の後部辺１３ｂ，１７ｂの内端部同士を互いに重ね合わせるとともに、該後部辺１３ｂ，１７ｂの上縁部全域を細長い帯布１８に連結（逢着）する。
【００１３】
前記帯布１８の左端（図１において右端）に長さ約３５ｃｍの左腰紐１９を連結し、前記帯布１８の右端（図１において左端）より約２０ｃｍ手前に長さ約４０ｃｍの右腰紐２０を連結する。なお、前記左右の腰紐１９，２０の長さは左右の腰覆い部１３，１７の大きさ（着用者の胴周り）によって適宜設定する。
【００１４】
また、前記帯布１８の左端内面に長さ約１５ｃｍの雌面ファスナー（係止具）２１を、前記帯布１８の右端外面に長さ約１５ｃｍの雄面ファスナー（係止具）２２をそれぞれ長手（周）方向に延長させて逢着する。なお、前記雌雄の面ファスナー２１，２２はホック、あるいはボタンに替えてもよい。
【００１５】
そして、前記祭典用股引１０を着用する際には、左右の腰紐１９，２０を前側にし、左脚通し部１２及び右脚通し部１６に着用者の左脚部及び右脚部を通す。次いで、左右の腰覆い部１３，１７の後部辺１３ｂ，１７ｂを着用者の胴部の左右に沿って前部側に回し、その外端部同士を前部側で互いに重ね合わせて雌雄の面ファスナー（係止具）２１，２２を係合させた後、左右の腰紐１９，２０を着用者の前部側で結ぶ。
【００１６】
これにより、左右の腰覆い部１３，１７の前部辺１３ａ，１７ａが着用者の股下を迂回するとともに、その開口縁部が互いに重なった状態で下腹部を包囲することになり、古来の衣装形態を保持することになる。
【図面の簡単な説明】
【００１７】
【図１】本考案の実施例による股引の開いた状態を示す正面斜視図である。
【図２】本考案の実施例による股引の閉じた状態を示す正面斜視図である。
【図３】従来例による股引の開いた状態を示す背面斜視図である。
【図４】従来例による股引の閉じた状態を示す背面斜視図である。
【符号の説明】
【００１８】
１０    祭典用股引
１１    左部股引体
１２    左脚通し部
１３    左腰覆い部
１３ａ  左腰覆い部の前部辺
１３ｂ  左腰覆い部の後部辺
１５    右部股引体
１６    右脚通し部
１７    右腰覆い部
１７ａ  右腰覆い部の前部辺
１７ｂ  右腰覆い部の後部辺
１８    帯布
１９    左腰紐
２０    右腰紐
【図１】
0003143423.tif 000003
【図２】
0003143423.tif 000004
【図３】
0003143423.tif 000005
【図４】
0003143423.tif 000006